(57)【要約】【課題】ごみに汚泥を均一に分散させて廃棄物溶融炉内に装入することができる、ごみと汚泥の炉内装入方法及び装入装置を提供する。【解決手段】ごみ１と汚泥５とを混合して廃棄物溶融炉３内へ投入する、ごみ１と汚泥５の炉内装入方法において、投入すべきごみ１を廃棄物溶融炉の投入ホッパ４へ移送するごみ搬送コンベア７上に積載し、汚泥５を圧送ポンプ９及び圧送配管１０を介し圧送配管先端部に設けられている汚泥押出装置１１へ圧送し、汚泥押出装置１１により押し出された汚泥５をワイヤカット装置で小片化し、小片化された汚泥５をごみ搬送コンベア７に積載された移送中のごみ１の上面へ落下させて分散積載してごみとともに炉内装入ホッパ４に投入する。【選択図】図１
2005164173.tif 000002
【特許請求の範囲】
【請求項１】
ごみと汚泥とを混合して廃棄物溶融炉内へ投入する、ごみと汚泥の炉内装入方法において、
投入すべきごみを廃棄物溶融炉の投入ホッパへ移送するごみ搬送コンベア上に積載し、
汚泥を圧送ポンプ及び圧送配管を介し圧送配管先端部に設けられている汚泥押出装置へ圧送し、
該汚泥押出装置により押し出された汚泥を前記ごみ搬送コンベアに積載された移送中のごみの上面へ落下させて分散積載してごみとともに炉内装入ホッパに投入することを特徴とするごみと汚泥の炉内装入方法。
【請求項２】
投入すべきごみを廃棄物溶融炉の炉内装入ホッパへ移送するごみ搬送コンベアの上方に、駆動シリンダーにより作動するピストンを内装した汚泥押出装置を配設し、汚泥押出装置の下端部には複数に分割したスリットノズルを形成するとともに、該スリットノズルにノズル出口弁を設けて汚泥の押出部を形成し、前記汚泥押出装置の胴部には汚泥入口弁を有する汚泥の圧送配管を接続し、さらに、前記押出部の下方に、回転体の胴部に複数のワイヤカッターを張設して形成した、押し出されてくる汚泥を所定サイズに切断するワイヤカット装置を備えたことを特徴とするごみと汚泥の炉内装入装置。
【請求項３】
汚泥収容シリンダー内にピストンの下降の際にノズル部における汚泥の押圧力を均等に分散させる中子を配置したことを特徴とする請求項２記載のごみと汚泥の炉内装入装置。
【発明の詳細な説明】
【技術分野】
【０００１】
本発明は、廃棄物溶融炉内にごみに汚泥を均一に分散させて廃棄物溶融炉内に装入するごみと汚泥の炉内装入方法及び装入装置に関する。
【背景技術】
【０００２】
廃棄物溶融処理において廃棄物溶融炉内にごみに加えて水分７５〜９０％に脱水され粘土状とした下水汚泥や糞尿などの汚泥を装入して処理することが行われる場合が多くなっている。
【０００３】
図３は従来のごみと汚泥を廃棄物溶融炉へ装入する状態を示す概略図である。
【０００４】
図３において、ごみ１はごみバケット２で廃棄物溶融炉３の投入ホッパ４へ投入され、汚泥５はごみ１とは別の専用の汚泥バケット６により投入ホッパ４に投入する方式が採用され、ごみ１に対して数回に分けて装入したり、あるいは汚泥バケット６から投入ホッパ４に衝突させて分散させたりする方法が取られてきた。しかし、汚泥５は、高水分含有で通気性が悪く、前記の装入方法では炉内では分散せずに１つの塊として存在し完全な炉内分散化が得られずに炉内の乾燥・燃焼状態の不均一を招き、炉の操業に悪影響を及ぼすという問題があった。
【０００５】
また、汚泥の処理において、汚泥の分散方法として、特許文献１には、セメントキルン内に含水汚泥を汚泥導入管の管端から分散状態で噴出させながら分散状態で導入する汚泥を分散する方法が記載されている。
【０００６】
また、特許文献２には、ケーシングの周方向に間隔をあけて形成された複数の供給口からケーシング内に汚泥を供給し、ケーシング内に配置されたスクリューカッターで汚泥を切断・分散させる汚泥の切断・分散装置が記載されている。
【特許文献１】特開平１１−９２１８４号公報
【特許文献２】特開平１１−２７０８２５号公報
【発明の開示】
【発明が解決しようとする課題】
【０００７】
特許文献１記載の分散方法により、例えば廃棄物溶融炉内のごみ表面に汚泥を散布する場合を想定すると、汚泥はごみと混合されずにごみ表面に積層し、再集団化した汚泥層を形成することになって通気性が悪くなり、炉内の乾燥・燃焼状態が悪くなる。また、分散装置停止時、炉内の熱で汚泥が乾燥固化して再作動不能となる問題が生じる。
【０００８】
また、特許文献２では、汚泥を炉内に直送した場合、ごみがバッチ投入のため、汚泥分散装置を使用しても汚泥が１ケ所に集中し、乾燥不良となる。
【０００９】
以上のとおり、いずれの分散方法も汚泥の完全な炉内分散化は得られず、しばしば炉の不調の主要因となってしまう。
【００１０】
そこで、本発明は、ごみに汚泥を均一に分散させて廃棄物溶融炉内に装入することができる、ごみと汚泥の炉内装入方法及び装入装置を提供するものである。
【課題を解決するための手段】
【００１１】
本発明は、ごみと汚泥とを混合して廃棄物溶融炉内へ投入する、ごみと汚泥の炉内装入方法において、投入すべきごみを廃棄物溶融炉の投入ホッパへ移送するごみ搬送コンベア上に積載し、汚泥を圧送ポンプ及び圧送配管を介し圧送配管先端部に設けられている汚泥押出装置へ圧送し、該汚泥押出装置により押し出された汚泥を前記ごみ搬送コンベアに積載された移送中のごみの上面へ落下させて分散積載してごみとともに炉内装入ホッパに投入することを特徴とする。
【００１２】
また、本発明のごみと汚泥の炉内装入装置は、投入すべきごみを廃棄物溶融炉の炉内装入ホッパへ移送するごみ搬送コンベアの上方に、駆動シリンダーにより作動するピストンを内装した汚泥押出装置を配設し、汚泥押出装置の下端部には複数に分割したスリットノズルを形成し、該スリットノズルにノズル出口弁を設けて汚泥の押出部を形成し、前記汚泥押出装置の胴部には汚泥入口弁を有する汚泥の圧送配管を接続し、さらに、前記押出部の下方に、回転体の胴部に複数のワイヤカッターを張設して形成した、押し出されてくる汚泥を所定サイズに切断するワイヤカット装置を備えたことを特徴とする。さらに、汚泥収容シリンダー内にピストンの下降の際に汚泥のスリットノズル部での押圧力を均等に分散させる中子を配置すればスリットの長手方向に均等な押出が得られる。
【００１３】
なお、本発明において、ごみとは、汚泥を除く廃棄物をいう。
【発明の効果】
【００１４】
ごみを炉内に投入する前に一担、ごみ搬送コンベア上に積載し、投入ホッパへ移動する過程でごみの上に汚泥を小片にして分散積載することで、汚泥の集中を回避することができ、汚泥が炉内で均一に分散されるため炉の操業が安定する。
【００１５】
また、多孔ノズルとワイヤカッターを用いることで、圧縮空気を必要とせず、汚泥の小片化が可能となる。
【発明を実施するための最良の形態】
【００１６】
図１は本発明のごみと汚泥の装入装置の全体を示す概略図である。図１において、処理すべきごみ１は、廃棄物溶融炉３の投入ホッパ４に直接投入せずに、一旦、ごみを廃棄物溶融炉１の投入ホッパ４へ移送するごみ搬送コンベア７の上に積載する。                                                                   
一方、水分含有量が７５〜９０％程度に脱水された汚泥５は、汚泥受入ホッパ８より圧送ポンプ９にて廃棄物溶融炉１の上部に配置された汚泥押出装置１１まで圧送配管１０で供給する。
【００１７】
図２（ａ）は汚泥押出装置とワイヤカット装置の側面を示す概略図、（ｂ）はスリットノズルの平面図、（ｃ）は汚泥押出装置に汚泥を供給している状態を示す図、（ｄ）は汚泥を押し出して小片化している状態を示す図である。
【００１８】
汚泥押出装置１１は駆動シリンダー１２により上下に作動するピストン１３を内装したシリンダーピストン方式にする。なお、汚泥押出装置１１内にピストン１３の下降の際に汚泥の押圧力を分散させて、均一に押し出されるように、中子２１を配置してもよい。
【００１９】
汚泥押出装置１１の下端部には複数に分割して多数の孔１４を形成したスリットノズル１５を形成し、スリットノズル１５には、駆動シリンダー１６で駆動して孔１４を開閉するノズル出口弁１７を設けて汚泥の押出部を形成する。汚泥押出装置１１の胴部には汚泥入口弁１８を有する汚泥の圧送配管１０を接続する。
【００２０】
汚泥押出装置１１の押出部の下方に、ワイヤカット装置１９を配置する。ワイヤカット装置１９はモータＭで回転する回転体の胴部に複数のワイヤカッター２０を張設して形成し、押し出されてくる棒状の汚泥を所定サイズにワイヤカッター２０で切断する。
【００２１】
次に、ごみと汚泥の装入方法について説明する。
【００２２】
図１、図２において、汚泥押出装置１１のノズル出口弁１７を閉、汚泥入口弁１８を開とし、圧送ポンプ９を起動し圧送管１０により汚泥受入ホッパ８から汚泥押出装置１１へ汚泥５を搬送して充填する。充填の際、汚泥押出装置１１内のピストン１３は汚泥５の充填圧力によって押し上げられ、上死点を検知して汚泥５の充填を停止し、汚泥入口弁１８を閉じ汚泥５の供給は停止する。
【００２３】
ごみ装入コンベヤ７の運転に合わせてワイヤカット装置１９を起動し、汚泥押出装置１１は汚泥入口弁１８を閉としたままで、ノズル出口弁１７を開とし、ピストン１３を駆動シリンダー１２で駆動させて下降させる。ピストン１３の下降により汚泥５は押圧されてスリットノズル１５の多くの孔１４から棒状に押し出された汚泥５はワイヤカット装置１９のワイヤカッター２０の回転により切断されて小片化され、小片化された汚泥５はごみ装入コンベヤ７で移動中のごみ１の上に落下して分散積載されて均一に混合される。これにより汚泥５がごみ１の表面に集団化することなく分散される。
【００２４】
汚泥５はごみ装入コンベア７上のごみ１が投入ホッパ４に向かって送られるタイミングに合わせてごみ１の表面に分散積載される。また、汚泥押出装置１１への汚泥５の供給は時間的余裕のある装入待ち時間中に充填する。
【図面の簡単な説明】
【００２５】
【図１】本発明のごみと汚泥の装入装置の全体を示す概略図である。
【図２】（ａ）は汚泥押出装置とワイヤカット装置の側面を示す概略図、（ｂ）はスリットノズルの平面図、（ｃ）は汚泥押出装置に汚泥を供給している状態を示す図、（ｄ）は汚泥を押し出して小片化している状態を示す図である。
【図３】従来のごみと汚泥を廃棄物溶融炉へ装入する状態を示す概略図である。
【符号の説明】
【００２６】
１：ごみ
２：ごみバケット
３：廃棄物溶融炉
４：投入ホッパ
５：汚泥
６：汚泥バケット
７：ごみ搬送コンベア
８：汚泥受入ホッパ
９：圧送ポンプ
１０：圧送配管
１１：汚泥押出装置
１２：駆動シリンダー  
１３：ピストン
１４：孔
１５：スリットノズル
１６：駆動シリンダー
１７：ノズル出口弁
１８：汚泥入口弁
１９：ワイヤカット装置
２０：ワイヤ
【図１】
2005164173.tif 000003
【図２】
2005164173.tif 000004
【図３】
2005164173.tif 000005